(57)【要約】【課題】ディスク媒体の安定したチャッキングおよび精度の高い調芯を実現すること。【解決手段】本発明は、ディスク１４を回転させるスピンドルモータの軸１３に対して摺動可能に取り付けられ、ディスク１４の中央に設けられた孔と嵌合するチャッキングリング１１と、ディスク１４をチャッキングリング１１側へ押圧するクランパ１５と、クランパ１５によるディスク１４の押圧によってチャッキングリング１１が軸方向へ押し込まれる際に対向する付勢力をチャッキングリング１１に与えるチャッキングバネ１２とを備えるディスク媒体保持装置において、スピンドルモータの軸１３を通すためチャッキングリング１１に設けられた孔１１ａの形状が多角形となっているものである。【選択図】図１
2007172742.tif 000002
【特許請求の範囲】
【請求項１】
ディスク媒体を回転させるモータの軸に対して摺動可能に取り付けられ、前記ディスク媒体の中央に設けられた孔と嵌合するチャッキングリングと、
前記ディスク媒体を前記チャッキングリング側へ押圧するクランパと、
前記クランパによる前記ディスク媒体の押圧によって前記チャッキングリングが前記軸方向へ押し込まれる際に対向する付勢力を前記チャッキングリングに与えるバネとを備えるディスク媒体保持装置において、
前記モータの軸を通すため前記チャッキングリングに設けられた孔の形状が多角形となっている
ことを特徴とするディスク媒体保持装置。
【請求項２】
前記チャッキングリングに設けられた孔の形状は５角形以上の多角形である
ことを特徴とする請求項１記載のディスク媒体保持装置。
【請求項３】
ディスク媒体を回転させるモータの軸に対して摺動可能に取り付けられ、前記ディスク媒体の中央に設けられた孔と嵌合するチャッキングリングと、
前記ディスク媒体を前記チャッキングリング側へ押圧するクランパと、
前記クランパによる前記ディスク媒体の押圧によって前記チャッキングリングが前記軸方向へ押し込まれる際に対向する付勢力を前記チャッキングリングに与えるバネとを備えるディスク媒体保持装置において、
前記モータの軸を通すため前記チャッキングリングに設けられた孔が前記軸方向に沿って前記クランパ側を広くしたテーパ形状となっている
ことを特徴とするディスク媒体保持装置。
【請求項４】
ディスク媒体を回転させるモータの軸に対して摺動可能に取り付けられ、前記ディスク媒体の中央に設けられた孔と嵌合するチャッキングリングと、
前記ディスク媒体を前記チャッキングリング側へ押圧するクランパと、
前記クランパによる前記ディスク媒体の押圧によって前記チャッキングリングが前記軸方向へ押し込まれる際に対向する付勢力を前記チャッキングリングに与えるバネと、
前記バネによる付勢力を受ける前記チャッキングリングの移動を止めるとともに、接近した前記クランパを磁力によって吸着するため前記モータの軸の先端に取り付けられるボスとを備えるディスク媒体保持装置において、
前記ボスを収容するため前記チャッキングリングに設けられた凹部が前記軸方向に沿って前記クランパ側を広くしたテーパ形状となっている
ことを特徴とするディスク媒体保持装置。
【請求項５】
ディスク媒体を回転させる軸を備えたモータと、
前記モータの軸に対して摺動可能に取り付けられ、前記ディスク媒体の中央に設けられた孔と嵌合するチャッキングリングと、
前記ディスク媒体を前記チャッキングリング側へ押圧するクランパと、
前記クランパによる前記ディスク媒体の押圧によって前記チャッキングリングが前記軸方向へ押し込まれる際に対向する付勢力を前記チャッキングリングに与えるバネとを備えるスピンドルモータにおいて、
前記モータの軸を通すため前記チャッキングリングに設けられた孔の形状が多角形となっている
ことを特徴とするスピンドルモータ。
【請求項６】
ディスク媒体を回転させるモータと、
前記モータの軸に対して摺動可能に取り付けられ、前記ディスク媒体の中央に設けられた孔と嵌合するチャッキングリングと、
前記ディスク媒体を前記チャッキングリング側へ押圧するクランパと、
前記クランパによる前記ディスク媒体の押圧によって前記チャッキングリングが前記軸方向へ押し込まれる際に対向する付勢力を前記チャッキングリングに与えるバネとを備えるスピンドルモータにおいて、
前記モータの軸を通すため前記チャッキングリングに設けられた孔が前記軸方向に沿って前記クランパ側を広くしたテーパ形状となっている
ことを特徴とするスピンドルモータ。
【請求項７】
ディスク媒体を回転させるモータと、
前記モータの軸に対して摺動可能に取り付けられ、前記ディスク媒体の中央に設けられた孔と嵌合するチャッキングリングと、
前記ディスク媒体を前記チャッキングリング側へ押圧するクランパと、
前記クランパによる前記ディスク媒体の押圧によって前記チャッキングリングが前記軸方向へ押し込まれる際に対向する付勢力を前記チャッキングリングに与えるバネと、
前記バネによる付勢力を受ける前記チャッキングリングの移動を止めるとともに、接近した前記クランパを磁力によって吸着するため前記モータの軸の先端に取り付けられるボスとを備えるスピンドルモータにおいて、
前記ボスを収容するため前記チャッキングリングに設けられた凹部が前記軸方向に沿って前記クランパ側を広くしたテーパ形状となっている
ことを特徴とするスピンドルモータ。
【請求項８】
ディスク媒体を回転させる軸を備えたモータと、
前記モータの軸に対して摺動可能に取り付けられ、前記ディスク媒体の中央に設けられた孔と嵌合するチャッキングリングと、
前記ディスク媒体を前記チャッキングリング側へ押圧するクランパと、
前記クランパによる前記ディスク媒体の押圧によって前記チャッキングリングが前記軸方向へ押し込まれる際に対向する付勢力を前記チャッキングリングに与えるバネとを備えるディスク媒体駆動装置において、
前記モータの軸を通すため前記チャッキングリングに設けられた孔の形状が多角形となっている
ことを特徴とするディスク媒体駆動装置。
【請求項９】
ディスク媒体を回転させるモータと、
前記モータの軸に対して摺動可能に取り付けられ、前記ディスク媒体の中央に設けられた孔と嵌合するチャッキングリングと、
前記ディスク媒体を前記チャッキングリング側へ押圧するクランパと、
前記クランパによる前記ディスク媒体の押圧によって前記チャッキングリングが前記軸方向へ押し込まれる際に対向する付勢力を前記チャッキングリングに与えるバネとを備えるディスク媒体駆動装置において、
前記モータの軸を通すため前記チャッキングリングに設けられた孔が前記軸方向に沿って前記クランパ側を広くしたテーパ形状となっている
ことを特徴とするディスク媒体駆動装置。
【請求項１０】
ディスク媒体を回転させるモータと、
前記モータの軸に対して摺動可能に取り付けられ、前記ディスク媒体の中央に設けられた孔と嵌合するチャッキングリングと、
前記ディスク媒体を前記チャッキングリング側へ押圧するクランパと、
前記クランパによる前記ディスク媒体の押圧によって前記チャッキングリングが前記軸方向へ押し込まれる際に対向する付勢力を前記チャッキングリングに与えるバネと、
前記バネによる付勢力を受ける前記チャッキングリングの移動を止めるとともに、接近した前記クランパを磁力によって吸着するため前記モータの軸の先端に取り付けられるボスとを備えるディスク媒体駆動装置において、
前記ボスを収容するため前記チャッキングリングに設けられた凹部が前記軸方向に沿って前記クランパ側を広くしたテーパ形状となっている
ことを特徴とするディスク媒体駆動装置。
【発明の詳細な説明】
【技術分野】
【０００１】
本発明は、ディスク媒体の中央に設けられた孔と嵌合してディスク媒体を保持するためのディスク媒体保持装置およびこのディスク媒体保持装置を用いたスピンドルモータならびにこのスピンドルモータを用いたディスク媒体駆動装置に関する。
【背景技術】
【０００２】
ＣＤ（Compact Disc）やＤＶＤ（Digital Versatile Disk）等のディスク媒体は、その中央に設けられた孔をチャッキングリングに嵌合して固定し、スピンドルモータによって高速回転することで情報の読み出しや書き込みを行っている。近年では、ブルーレイディスク（ソニー社登録商標）のような高密度記録が可能なディスク媒体も登場し、高速かつ高精度にディスク媒体を回転させるスピンドルモータやディスク媒体のチャッキング技術が必要となってきている（例えば、特許文献１参照。）。
【０００３】
図６は、従来のディスク媒体保持装置を説明する断面図、図７は、従来のディスク媒体保持装置のチャッキングリングを説明する図で、（ａ）が平面図、（ｂ）が断面図である。すなわち、このディスク媒体保持装置は、ディスク（ディスク媒体）１４の中央に設けられた孔と嵌合するチャッキングリング１１と、チャッキングリング１１で固定されたディスク１４を回転させるモータロータ１７と、ディスク１４をチャッキングリング１１側に押圧するクランパ１５と、チャッキングリング１１をクランパ１５側に付勢するチャッキングバネ１２とを備えている。
【０００４】
チャッキングリング１１はモータの軸１３に対して摺動可能に取り付けられており、クランパ１５によってディスク１４が押圧されることでモータロータ１７側に押し込まれるようになる。軸１３の先端には磁石から成るチャックボス１９が取り付けられており、この磁力によってクランパ１５を吸着する。クランパ１５がチャックボス１９に吸着され、チャッキングリング１１が押し込まれることでディスク１４がクランパ１５とターンテーブル１６との間で挟持され、モータロータ１７の回転よってディスク１４も回転する状態となる。
【０００５】
このようなディスク媒体保持装置において、ディスク１４がＤＶＤの場合とブルーレイディスク（ソニー社登録商標）の場合とで次のような規格の相違がある。
・記録容量…ＤＶＤ：４．７ＧＢ、ブルーレイディスク：２５ＧＢ
・トラックピッチ…ＤＶＤ：０．７４μｍ、ブルーレイディスク：０．３２μｍ
・ワークディスタンス（フォーカスギャップ）…ＤＶＤ：０．５ｍｍ、ブルーレイディスク：０．２６ｍｍ
・センタリング精度（チャッキング振れ）…ＤＶＤ：１００μｍｐｐ以下、ブルーレイディスク：３５μｍｐｐ以下
・ターンテーブル面振れ…ＤＶＤ：２０μｍｐｐ以下、ブルーレイディスク：２０μｍｐｐ以下
・軸垂…ＤＶＤ：０．１３°以下、ブルーレイディスク：０．１°以下
・ターンテーブル面高さ…ＤＶＤ：１６．２±０．００８ｍｍ、ブルーレイディスク：１４．８±０．０７ｍｍ
【０００６】
このように、ＤＶＤに対してブルーレイディスク（ソニー社登録商標）では記録密度の向上とともにディスク媒体を保持するための精度も非常に高いものが要求される。
【０００７】
【特許文献１】特開２００３−３４６４０４号公報
【発明の開示】
【発明が解決しようとする課題】
【０００８】
しかしながら、従来のディスク媒体保持装置において、モータの軸を通すためチャッキングリングに設けられた孔の形状が円形であることから、チャッキングリングの回転動作に伴い、チャッキングリングと軸とが片当たりする状態が発生する。また、片当たりしたままチャッキングリングが摺動することもある。この場合、ディスク調芯動作時に、チャッキングリングと軸との接触がチャッキングリングのエッジ部と円形状との線接触となるため、チャッキングリングが軸に引っかかりやすくなる。
【０００９】
また、チャッキングリングの孔とモータの軸との接触が円形状による線接触となると、チャッキングリングと軸との接触で発生する反力の方向も定まらず、軸に対してチャッキングリングが暴れる運動も発生することがある。そのため、チャッキングリングの摺動も不安定となり、調芯精度が悪化したり、最悪の場合は、ディスククランプできないという不具合を起こすこともある。
【００１０】
また、従来のディスク媒体保持装置では、チャキングリングの円筒面がストレートになっていることから、チャッキングリングの片側を片押しした際、ボスの外径とチャッキングリングの円筒面とのクリアランスが大きく、ボス外径とチャッキングリング円筒面とが接触しない場合は、軸とチャッキングリング円筒面とが片当たり状態となる。この場合、軸とチャッキングリング円筒面との接触が円筒面のエッジ部と円形状との線接触となるため、チャッキングリングが軸に引っかかりやすくなる。
【００１１】
また、チャッキングリングを片押しした際、ボス外径とチャッキングリング円筒面とのクリアランスが小さく、ボス外径とチャッキングリング円筒面とが接触する場合は、ボス外径とチャッキングリング円筒面とが片当たり状態となる。このときも、ボス外径とチャッキングリング円筒面との接触は、円筒面のエッジ部と円形状の線接触となるため、チャッキングリングがボスに引っかかる確率が高くなる。
【００１２】
チャッキングリングの片押し状態は実使用上も起きうる状態で、チャッキングリングが軸やボスに引っかかれば、チャッキングリングの摺動性も不安定となり、調芯精度が悪化したり、最悪の場合は、ディスククランプできないという不具合を起こすことになる。
【課題を解決するための手段】
【００１３】
本発明はこのような課題を解決するために成されたものである。すなわち、本発明は、ディスク媒体を回転させるモータの軸に対して摺動可能に取り付けられ、前記ディスク媒体の中央に設けられた孔と嵌合するチャッキングリングと、ディスク媒体をチャッキングリング側へ押圧するクランパと、クランパによるディスク媒体の押圧によってチャッキングリングが軸方向へ押し込まれる際に対向する付勢力を前記チャッキングリングに与えるバネとを備えるディスク媒体保持装置において、モータの軸を通すためチャッキングリングに設けられた孔の形状が多角形となっているものである。
【００１４】
このような本発明では、チャッキングリングの孔が多角形になっていることから、孔を貫通する軸とチャッキングリングの孔とが片当たりしてもチャッキングリングと軸とが点接触する状態となり、チャッキングリングの摺動性に悪影響を及ぼさなくなる。
【００１５】
ここで、チャッキングリングに設けられた孔の形状は５角形以上の多角形で、５角形から１２角形のうちいずれかが好ましく、さらに好ましくは１２角形前後が望ましい。多角形の辺数が少なすぎるとチャッキングリングの安定性が悪化し、辺数が多すぎると点接触箇所が多くなって摺動性に悪影響を及ぼすためである。
【００１６】
また、本発明は、ディスク媒体を回転させるモータの軸に対して摺動可能に取り付けられ、ディスク媒体の中央に設けられた孔と嵌合するチャッキングリングと、ディスク媒体をチャッキングリング側へ押圧するクランパと、クランパによるディスク媒体の押圧によってチャッキングリングが軸方向へ押し込まれる際に対向する付勢力をチャッキングリングに与えるバネとを備えるディスク媒体保持装置において、モータの軸を通すためチャッキングリングに設けられた孔が軸方向に沿ってクランパ側を広くしたテーパ形状となっているものである。
【００１７】
また、本発明は、ディスク媒体を回転させるモータの軸に対して摺動可能に取り付けられ、ディスク媒体の中央に設けられた孔と嵌合するチャッキングリングと、ディスク媒体をチャッキングリング側へ押圧するクランパと、クランパによるディスク媒体の押圧によってチャッキングリングが軸方向へ押し込まれる際に対向する付勢力を前記チャッキングリングに与えるバネと、バネによる付勢力を受けるチャッキングリングの移動を止めるとともに、接近した前記クランパを磁力によって吸着するためモータの軸の先端に取り付けられるボスとを備えるディスク媒体保持装置において、ボスを収容するためチャッキングリングに設けられた凹部が軸方向に沿ってクランパ側を広くしたテーパ形状となっているものである。
【００１８】
ここで、孔や凹部のテーパ形状としては、孔や凹部の全内筒面にテーパが設けられていても、クランパ側のエッジ部にＣ面取りやＲ面取りとして設けられていてもよい。
【００１９】
このような本発明では、チャッキングリングに設けられた軸貫通用の孔や、ボスを収容するための凹部がクランパ側を広くしたテーパ形状になっているため、チャッキングリングが軸やボスと片当たりしても接触面での応力を緩和でき、チャッキングリングの摺動性に悪影響を及ぼさなくなる。
【発明の効果】
【００２０】
したがって、本発明によれば、ディスク媒体の調芯動作時に、チャッキングリングが軸に対して引っかかり難いので、チャッキングリングと軸との摺動性が向上し、チャッキング誤動作の少ない信頼性の高いディスク媒体保持装置を提供することが可能となる。また、調芯精度が向上することから、ディスク媒体に対する情報記録再生時に、信号の読み書きのエラーが低減され、信頼性の高いディスク媒体駆動装置を構成することが可能となる。
【発明を実施するための最良の形態】
【００２１】
以下、本発明の実施の形態を図に基づき説明する。図１は、本実施形態に係るディスク媒体保持装置を説明する断面図、図２は、本実施形態に係るディスク媒体保持装置のチャッキングリングを説明する図で、（ａ）は平面図、（ｂ）は断面図である。
【００２２】
すなわち、本実施形態に係るディスク媒体保持装置は、ディスク（ディスク媒体）１４の中央に設けられた孔と嵌合するチャッキングリング１１と、チャッキングリング１１で固定されたディスク１４を回転させるモータロータ１７と、ディスク１４をチャッキングリング１１側に押圧するクランパ１５と、チャッキングリング１１をクランパ１５側に付勢するチャッキングバネ１２とを備えている。
【００２３】
チャッキングリング１１はスピンドルモータの軸１３に対して摺動可能に取り付けられており、クランパ１５によってディスク１４が押圧されることでモータロータ１７側に押し込まれるようになる。チャッキングリング１１が軸１３に対して摺動可能となるため、チャッキングリング１１の孔１１ａと軸１３との間には片側約５μｍのクリアランスが設けられている。
【００２４】
軸１３の先端には磁石から成るチャックボス１９が圧入によって取り付けられており、この磁力によってクランパ１５を吸着する。クランパ１５がチャックボス１９に吸着され、チャッキングリング１１が押し込まれることでディスク１４がクランパ１５とターンテーブル１６との間で挟持され、モータロータ１７の回転よってディスク１４も回転する状態となる。
【００２５】
このような本実施形態のディスク媒体保持装置においては、チャッキングリング１１の中央に設けられ、モータの軸１３を通すための孔１１ａの形状が多角形となっている点に特徴がある。図２に示す例では５角形の孔１１ａが設けられている。多角形としては５角形以上であればよいが、５角形から１２角形のうちいずれかが望ましく、さらに好ましくは９角形前後が良い。これは、多角形の辺数が少なすぎるとチャッキングリング１１の安定性が悪化し、辺数が多すぎると点接触箇所が多くなってチャッキングリング１１の摺動性に悪影響を及ぼすためである。ここで、チャッキングリング１１はポリカーボネート等の樹脂材料を用いて例えば射出成形によって製造されるため、種々の孔形状を精度良く成形することが可能である。
【００２６】
チャッキングリング１１に設けられた孔１１ａが多角形になっていることで、チャッキングリング１１と軸１３とが片当たりした際、チャッキングリング１１と軸１３との接触でチャッキングリング１１の軸１３とが何点かで点接触する状態となる。このため、チャッキングリング１１と軸１３とが引っかかりにくくなり、また、引っかかったとしても接触点の応力が高いため引っかかりを越えていく可能性が高くなる。したがって、チャッキングリング１１の摺動動作も安定し、誤動作を起こすことも少なくなり、ディスク調芯動作も安定することになる。
【００２７】
本実施形態のディスク媒体保持装置におけるディスクチャッキング動作は次のようになる。先ず、クランパ１５に対してスピンドルモータが下がった状態でクランパ１５とチャッキングリング１１との間にディスク１４が配置される。次に、スピンドルモータが上昇してチャッキングリング１１がディスク１４の中央孔に嵌合する状態となる。この際、ディスク１４の上面はクランパ１５で押さえられ、下からチャッキングリング１１がディスク１４の中央孔に嵌合することになる。また、チャッキングリング１１の外周面には呼び込みテーパが付けられているため、チャッキングリング１１を基準としてディスク１４の中央孔が呼び込まれ、正確な位置合わせが成される。
【００２８】
そして、さらにスピンドルモータが上昇すると、ディスク１４の中央孔の位置がチャッキングリング１１の外周面の最終テーパに到達する。この状態ではディスク１４の中央孔の誤差分を吸収した深さまでチャッキングリング１１が入り込むことになる。これとともにチャックボス１９の磁力によってクランパ１５が吸着され、クランパ１５とチャッキングリング１１とでディスク１４を挟持する状態となる。
【００２９】
チャッキングリング１１とディスク１４の中央孔とが完全に嵌合された状態からさらにスピンドルモータが上昇していくと、チャッキングバネ１２の付勢力に打ち勝ってチャッキングリング１１が押し込まれる状態となる。そして、ディスク１４がターンテーブル１６の位置まで達してクランパ１５とターンテーブル１６とでディスク１４を挟持する状態となる。
【００３０】
これによりディスク１４のチャッキングが完了し、スピンドルモータを回転させることでモータロータ１７が回転して、これに取り付けられたターンテーブル１６およびチャッキングリング１１が回転し、クランパ１５との間で挟持されたディスク１４も回転することになる。
【００３１】
このようなディスクチャッキング動作でチャッキングリング１１がチャッキングバネ１２の付勢力に打ち勝って押し込まれる際、軸１３との間で引っ掛かりなくスムーズに摺動し、正確にディスク１４を調芯できることになる。
【００３２】
次に、本発明の他の実施形態について説明する。図３は、他の実施形態に係るディスク媒体保持装置を説明する断面図、図４は、他の実施形態に係るディスク媒体保持装置のチャッキングリングを説明する図で、（ａ）は平面図、（ｂ）は断面図である。
【００３３】
すなわち、他の実施形態に係るディスク媒体保持装置は、先の実施形態と同様、ディスク（ディスク媒体）１４の中央に設けられた孔と嵌合するチャッキングリング１１と、チャッキングリング１１で固定されたディスク１４を回転させるモータロータ１７と、ディスク１４をチャッキングリング１１側に押圧するクランパ１５と、チャッキングリング１１をクランパ１５側に付勢するチャッキングバネ１２とを備えている。
【００３４】
また、チャッキングリング１１はスピンドルモータの軸１３に対して摺動可能に取り付けられており、クランパ１５によってディスク１４が押圧されることでモータロータ１７側に押し込まれるようになる。
【００３５】
さらに、軸１３の先端には磁石から成るチャックボス１９が圧入によって取り付けられており、この磁力によってクランパ１５を吸着する。クランパ１５がチャックボス１９に吸着され、チャッキングリング１１が押し込まれることでディスク１４がクランパ１５とターンテーブル１６との間で挟持され、モータロータ１７の回転よってディスク１４も回転する状態となる。
【００３６】
このような他の実施形態に係るディスク媒体保持装置においては、スピンドルモータの軸１３を通すためチャッキングリング１１に設けられた孔１１ａが軸１３の方向に沿ってクランパ１５側を広くしたテーパ形状となっている点に特徴がある。また、チャックボス１９を収容するためチャッキングリング１１に設けられた凹部１１ｂが軸１３の方向に沿ってクランパ１５側を広くしたテーパ形状となっている点も特徴である。
【００３７】
このように、孔１１ａや凹部１１ｂがテーパ形状となっていることで、チャッキングリング１１が軸１３やチャックボス１９と片当たりしても接触面での応力を緩和でき、チャッキングリング１１の摺動性に悪影響を及ぼさなくなる。
【００３８】
つまり、チャッキングリング１１と軸１３とが片当たり状態で接触する場合は、テーパが設けられていることでチャッキングリング１１の軸１３側の隅部が面接触となる。また、チャッキングリング１１とチャックボス１９の外径が片当たり状態で接触する場合も、テーパが設けられていることで面接触となる。このため、チャッキングリング１１が軸１３やチャックボス１９の外径と接触した場合も接触面の応力が小さくなり、チャッキングリング１１が引っかかる確率は低くなる。したがって、最終的に、チャッキングリング１１の摺動動作も安定し、誤動作を起こすことも少なくなり、ディスク調芯動作も安定する。
【００３９】
ここで、孔１１ａや凹部１１ｂのテーパ形状としては、孔１１ａや凹部１１ｂの全内筒面にテーパが設けられていても、孔１１ａや凹部１１ｂの内筒面の一部にテーパが設けられていてもよい。ここで、一部にテーパを設ける場合、クランパ１５側のエッジ部にＣ面取りやＲ面取り、もしくは円弧形状として設けるようにする。図５（ａ）はＣ面取り、（ｂ）はＲ面取りの場合を示す断面図である。
【００４０】
チャッキングリング１１はポリカーボネート等の樹脂材料を用いて例えば射出成形によって製造されるため、種々の形状を精度良く成形することが可能である。いずれの例でも、孔１１ａおよび凹部１１ｂにおける図中上側が広がるようなテーパを構成すれば、チャッキングリング１１の摺動の際に軸１３やチャックボス１９との引っ掛かりを抑制できる。
【００４１】
孔１１ａおよび凹部１１ｂに設けるテーパは、チャッキングリング１１の安定性を悪化させず、摺動性を向上させる観点から、例えば軸１３の方向に１．７ｍｍに対して軸１３と垂直な方向に１０μｍ程度が望ましい。
【００４２】
このディスク媒体保持装置におけるディスクチャッキング動作は次のようになる。先ず、クランパ１５に対してスピンドルモータが下がった状態でクランパ１５とチャッキングリング１１との間にディスク１４が配置される。次に、スピンドルモータが上昇してチャッキングリング１１がディスク１４の中央孔に嵌合する状態となる。この際、ディスク１４の上面はクランパ１５で押さえられ、下からチャッキングリング１１がディスク１４の中央孔に嵌合することになる。また、チャッキングリング１１の外周面には呼び込みテーパが付けられているため、チャッキングリング１１を基準としてディスク１４の中央孔が呼び込まれ、正確な位置合わせが成される。
【００４３】
そして、さらにスピンドルモータが上昇すると、ディスク１４の中央孔の位置がチャッキングリング１１の外周面の最終テーパに到達する。この状態ではディスク１４の中央孔の誤差分を吸収した深さまでチャッキングリング１１が入り込むことになる。これとともにチャックボス１９の磁力によってクランパ１５が吸着され、クランパ１５とチャッキングリング１１とでディスク１４を挟持する状態となる。
【００４４】
チャッキングリング１１とディスク１４の中央孔とが完全に嵌合された状態からさらにスピンドルモータが上昇していくと、チャッキングバネ１２の付勢力に打ち勝ってチャッキングリング１１が押し込まれる状態となる。そして、ディスク１４がターンテーブル１６の位置まで達してクランパ１５とターンテーブル１６とでディスク１４を挟持する状態となる。
【００４５】
これによりディスク１４のチャッキングが完了し、スピンドルモータを回転させることでモータロータ１７が回転して、これに取り付けられたターンテーブル１６およびチャッキングリング１１が回転し、クランパ１５との間で挟持されたディスク１４も回転することになる。
【００４６】
このようなディスクチャッキング動作でチャッキングリング１１がチャッキングバネ１２の付勢力に打ち勝って押し込まれる際、チャッキングリング１１が軸１３やチャックボス１９との間で引っ掛かりなくスムーズに摺動し、正確にディスク１４を調芯できることになる。
【００４７】
上記説明した実施形態および他の実施形態に係るディスク媒体保持装置はチャッキングリング１１、チャッキングバネ１２、ターンテーブル１６およびチャックボス１９を含むスピンドルモータとして構成してもよい。また、このディスク媒体保持装置は、ディスク媒体の記録、再生を行う装置のドライブ機構（ディスク媒体駆動装置）として適用され、ブルーレイディスク（ソニー社登録商標）等の大容量記録媒体のドライブ機構として安定したチャッキングおよび精度の高いディスク調芯を行うことが可能となる。
【図面の簡単な説明】
【００４８】
【図１】本実施形態に係るディスク媒体保持装置を説明する断面図である。
【図２】本実施形態に係るディスク媒体保持装置のチャッキングリングを説明する図である。
【図３】他の実施形態に係るディスク媒体保持装置を説明する断面図である。
【図４】他の実施形態に係るディスク媒体保持装置のチャッキングリングを説明する図である。
【図５】チャッキングリングのテーパ形状の例を説明する断面図である。
【図６】従来のディスク媒体保持装置を説明する断面図である。
【図７】従来のディスク媒体保持装置のチャッキングリングを説明する図である。
【符号の説明】
【００４９】
１１…チャッキングリング、１１ａ…孔、１１ｂ…凹部、１２…チャッキングバネ、１３…軸、１４…ディスク、１５…クランパ、１６…ターンテーブル、１７…モータロータ、１８…モータステータ
【図１】
2007172742.tif 000003
【図２】
2007172742.tif 000004
【図３】
2007172742.tif 000005
【図４】
2007172742.tif 000006
【図５】
2007172742.tif 000007
【図６】
2007172742.tif 000008
【図７】
2007172742.tif 000009